(57)【特許請求の範囲】
【請求項１】
インタリーブ分割多元接続方式（ＩＤＭＡ：Interleave  Division  Multiple  Access）が利用される通信システムの無線通信装置との通信を行う通信部と、
前記無線通信装置によりＩＤＭＡのために利用されるインタリーバを割り当てる間隔を動的に変更する間隔制御部と、
前記間隔制御部により設定された前記間隔で前記インタリーバを割り当てる割当制御部と、
を備え、
前記割当制御部は、ＱＣＩ（Quality  of  Service  Class  Identifier）に対応する前記インタリーバの候補集合の中から割り当てる前記インタリーバを選択する、通信制御装置。
【請求項２】
前記間隔制御部は、前記無線通信装置による通信に関する情報に基づいて前記間隔を変更する、請求項１に記載の通信制御装置。
【請求項３】
前記間隔制御部は、ＱＣＩに基づいて前記間隔を変更する、請求項２に記載の通信制御装置。
【請求項４】
前記間隔制御部は、前記無線通信装置により送信又は受信されるパケットに関する統計量を示す情報に基づいて前記間隔を変更する、請求項２に記載の通信制御装置。
【請求項５】
前記間隔制御部は、前記無線通信装置により用いられるアプリケーションの種別を示す情報に基づいて前記間隔を変更する、請求項２に記載の通信制御装置。
【請求項６】
前記間隔制御部は、前記間隔を他の接続方式に係るリソース割り当て間隔に応じた時間にする、請求項１に記載の通信制御装置。
【請求項７】
前記通信部は、前記間隔を示す情報を前記無線通信装置へ送信する、請求項１に記載の通信制御装置。
【請求項８】
前記割当制御部は、前記無線通信装置による通信に関する情報に基づいて前記インタリーバを割り当てる、請求項１に記載の通信制御装置。
【請求項９】
前記割当制御部は、前記無線通信装置による通信に関する情報に対応する割り当て規則に従って前記インタリーバを割り当てる、請求項８に記載の通信制御装置。
【請求項１０】
前記割当制御部は、ＱＣＩに対応する割り当て規則に従って前記インタリーバを割り当てる、請求項９に記載の通信制御装置。
【請求項１１】
前記間隔制御部は、前記間隔を最小のＴＴＩより長い時間に変更する、請求項１に記載の通信制御装置。
【請求項１２】
前記間隔制御部は、前記間隔を最小のＴＴＩと等しい時間に変更する、請求項１に記載の通信制御装置。
【請求項１３】
前記間隔制御部は、前記インタリーバの割り当て方針を、静的な割り当て方針、準静的な割り当て方針又は動的な割り当て方針から選択し、
前記割当制御部は、選択された前記インタリーバの割り当て方針に対応する前記インタリーバの候補集合の中から割り当てる前記インタリーバを選択する、請求項１に記載の通信制御装置。
【請求項１４】
他の無線通信装置との間でＩＤＭＡを用いて無線通信を行う無線通信部と、
動的に変更される間隔で前記他の無線通信装置により割り当てられたインタリーバを用いたインタリーブ処理を行うよう前記無線通信部を制御する制御部と、
を備え、
前記割り当てられた前記インタリーバは、ＱＣＩに対応する前記インタリーバの候補集合の中から選択された前記インタリーバである、無線通信装置。
【請求項１５】
前記制御部は、前記無線通信部による通信の状況に応じて、前記間隔又は前記インタリーバの割り当てを変更するよう要求するメッセージを送信するよう前記無線通信部を制御する、請求項１４に記載の無線通信装置。
【請求項１６】
ＩＤＭＡが利用される通信システムの無線通信装置との通信を行うことと、
前記無線通信装置によりＩＤＭＡのために利用されるインタリーバを割り当てる間隔をプロセッサにより動的に変更することと、
設定された前記間隔で前記インタリーバを割り当てることと、
を含み、
前記割り当てることは、ＱＣＩに対応する前記インタリーバの候補集合の中から割り当てる前記インタリーバを選択することを含む、通信制御方法。
【請求項１７】
他の無線通信装置との間でＩＤＭＡを用いて無線通信を行うことと、
動的に変更される間隔で前記他の無線通信装置により割り当てられたインタリーバを用いたインタリーブ処理を行うようプロセッサにより制御することと、
を含み、
前記割り当てられた前記インタリーバは、ＱＣＩに対応する前記インタリーバの候補集合の中から選択された前記インタリーバである、無線通信方法。
【請求項１８】
コンピュータを、
ＩＤＭＡが利用される通信システムの無線通信装置との通信を行う通信部と、
前記無線通信装置によりＩＤＭＡのために利用されるインタリーバを割り当てる間隔を動的に変更する間隔制御部と、
前記間隔制御部により設定された前記間隔で前記インタリーバを割り当てる割当制御部と、
として機能させ、
前記割当制御部は、ＱＣＩに対応する前記インタリーバの候補集合の中から割り当てる前記インタリーバを選択する、プログラム。
【請求項１９】
コンピュータを、
他の無線通信装置との間でＩＤＭＡを用いて無線通信を行う無線通信部と、
動的に変更される間隔で前記他の無線通信装置により割り当てられたインタリーバを用いたインタリーブ処理を行うよう前記無線通信部を制御する制御部と、
として機能させ、
前記割り当てられた前記インタリーバは、ＱＣＩに対応する前記インタリーバの候補集合の中から選択された前記インタリーバである、プログラム。
【発明の詳細な説明】
【技術分野】
【０００１】
本開示は、通信制御装置、無線通信装置、通信制御方法、無線通信方法及びプログラム
に関する。
【背景技術】
【０００２】
セルラーシステムでは、ユーザの数が著しく増加している。そのため、第５世代のシステムがさらに求められている。第４世代から第５世代への遷移を実現するためには、いくつかのブレークスルー（例えば、スペクトル効率及びエネルギー効率の両方の改善、並びに先進的な無線周波数ドメイン処理など）が求められる。
【０００３】
セルラーシステムでは、ユーザ間の干渉を回避したり、通信品質を向上させたり、スループットを向上させたりすることを目的として、無線リソースのスケジューリングが行われる。このスケジューリングは、例えば最小のＴＴＩ（Transmission  Time  Interval）ごとに、そのときの通信環境に応じて行われることが一般的であった。この点、ＬＴＥ（Long  Term  Evolution）及びＬＴＥ−Ａ（Advanced）においては、下記非特許文献１及び２で、無線リソースのスケジューリング技術の1つとしてＳＰＳ（Semi−persistent  scheduling）が規格化されている。ＳＰＳは、１サブフレームより長い時間間隔で、ＵＥ（user  equipment）に対して無線リソースを割り当てることが可能な技術である。なお、ＬＴＥにおいては、最小のＴＴＩは１ｍｓ（１サブフレーム）である。
【０００４】
一方で、スペクトル効率の改善の観点から、多元接続技術（Multiple  Access  Technology：ＭＡＴ）は、重要な要素の１つである。多元接続技術のひとつとして、インタリーブ分割多元接続方式（Interleave  Division  Multiple  Access：ＩＤＭＡ）等の非直交多元接続方式（Non-Orthogonal  Multiple  Access：ＮＯＭＡ）が注目されている。ＩＤＭＡに関しては、異なるユーザを区別し、ユーザ間の干渉を効果的に除去することで通信容量を向上させることを目的として、インタリーバの割り当てに関する技術が開発されている。例えば、下記特許文献１では、ユーザごと又はセルごとに異なるインタリーブパターンを使用することで、通信容量を向上させる技術が開示されている。
【先行技術文献】
【特許文献】
【０００５】
【特許文献１】特開２００４−１９４２８８号公報
【非特許文献】
【０００６】
【非特許文献１】３ＧＰＰ，“３ＧＰＰ  ＴＳ  ３６．３２１  ｖ１２．３．０”，  Ｓｅｐｔｅｍｂｅｒ  ２３，  ２０１４．
【非特許文献２】３ＧＰＰ，“３ＧＰＰ  ＴＳ  ３６．３３１  ｖ１２．３．０”，  Ｓｅｐｔｅｍｂｅｒ  ２３，  ２０１４．
【発明の概要】
【発明が解決しようとする課題】
【０００７】
上述したＳＰＳは、最小のＴＴＩごとのリソースの割り当てにかかるオーバーヘッドを削減することを目的として規格化された技術である。例えば、ＬＴＥ及びＬＴＥ−Ａにおいては、ダウンリンク割り当てメッセージ又はアップリンクグラントメッセージが、制御チャネル上でサブフレームごとにやりとりされていた。このため、制御チャネル上での頻繁なインタラクションに起因する高いオーバーヘッドが発生する場合があった。ＩＤＭＡシステムにおいても、上述した事情が同様に起こり得る。
【０００８】
そこで、本開示では、ＩＤＭＡシステムにおけるインタリーバの割り当てに関するオーバーヘッドを削減することが可能な、新規且つ改良された通信制御装置、無線通信装置、通信制御方法、無線通信方法及びプログラムを提案する。
【課題を解決するための手段】
【０００９】
本開示によれば、インタリーブ分割多元接続方式（ＩＤＭＡ：Interleave  Division  Multiple  Access）が利用される通信システムの無線通信装置との通信を行う通信部と、前記無線通信装置によりＩＤＭＡのために利用されるインタリーバを割り当てる間隔を動的に変更する間隔制御部と、を備える通信制御装置が提供される。
【００１０】
また、本開示によれば、他の無線通信装置との間でＩＤＭＡを用いて無線通信を行う無線通信部と、動的に変更される間隔で割り当てられたインタリーバを用いたインタリーブ処理を行うよう前記無線通信部を制御する制御部と、を備える無線通信装置が提供される。
【００１１】
また、本開示によれば、ＩＤＭＡが利用される通信システムの無線通信装置との通信を行うことと、前記無線通信装置によりＩＤＭＡのために利用されるインタリーバを割り当てる間隔をプロセッサにより動的に変更することと、を含む通信制御方法が提供される。
【００１２】
また、本開示によれば、他の無線通信装置との間でＩＤＭＡを用いて無線通信を行うことと、動的に変更される間隔で割り当てられたインタリーバを用いたインタリーブ処理を行うようプロセッサにより制御することと、を含む無線通信方法が提供される。
【００１３】
また、本開示によれば、コンピュータを、ＩＤＭＡが利用される通信システムの無線通信装置との通信を行う通信部と、前記無線通信装置によりＩＤＭＡのために利用されるインタリーバを割り当てる間隔を動的に変更する間隔制御部と、として機能させるためのプログラムが提供される。
【００１４】
また、本開示によれば、コンピュータを、他の無線通信装置との間でＩＤＭＡを用いて無線通信を行う無線通信部と、動的に変更される間隔で割り当てられたインタリーバを用いたインタリーブ処理を行うよう前記無線通信部を制御する制御部と、として機能させるためのプログラムが提供される。
【発明の効果】
【００１５】
以上説明したように本開示によれば、ＩＤＭＡシステムにおけるインタリーバの割り当てに関するオーバーヘッドを削減することが可能である。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１６】
【図１】ＩＤＭＡに関する技術を説明するための説明図である。
【図２】ＩＤＭＡに関する技術を説明するための説明図である。
【図３】ＩＤＭＡに関する技術を説明するための説明図である。
【図４】ＩＤＭＡに関する技術を説明するための説明図である。
【図５】本開示の一実施形態に係る通信システムの全体構成の一例を示す図である。
【図６】本実施形態に係る通信制御装置の論理的な構成の一例を示すブロック図である。
【図７】本実施形態に係るインタリーバの割り当て方針を説明するための説明図である。
【図８】本実施形態に係る端末装置の論理的な構成の一例を示すブロック図である。
【図９】本実施形態に係る端末装置の無線通信部の論理的な構成の一例を示すブロック図である。
【図１０】本実施形態に係る通信システムにおいて実行される割り当て情報の通知処理の流れの一例を示すシーケンス図である。
【図１１】本実施形態に係る通信制御装置において実行されるインタリーバの割り当て間隔の設定処理の流れの一例を示すフローチャートである。
【図１２】ＯＦＤＭＡにおけるリソースの割り当てを説明するための説明図である。
【図１３】ＯＦＤＭＡとＩＤＭＡとを組み合わせた場合におけるリソースの割り当てを説明するための説明図である。
【図１４】ＯＦＤＭＡとＩＤＭＡとを組み合わせた場合におけるリソースの割り当てを説明するための説明図である。
【図１５】サーバの概略的な構成の一例を示すブロック図である。
【図１６】ｅＮＢの概略的な構成の第１の例を示すブロック図である。
【図１７】ｅＮＢの概略的な構成の第２の例を示すブロック図である。
【図１８】スマートフォンの概略的な構成の一例を示すブロック図である。
【図１９】カーナビゲーション装置の概略的な構成の一例を示すブロック図である。
【発明を実施するための形態】
【００１７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１８】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００１９】
なお、説明は以下の順序で行うものとする。
１．はじめに
２．構成
２．１．通信システムの構成例
２．２．通信制御装置の構成例
２．３．端末装置の構成例
３．機能詳細
４．動作処理
５．変形例
６．応用例
７．まとめ
【００２０】
＜１．はじめに＞
まず、図１〜図４を参照して、ＩＤＭＡに関する技術について説明する。図１〜図４は、ＩＤＭＡに関する技術を説明するための説明図である。
【００２１】
ＬＴＥ（Long  Term  Evolution）／ＬＴＥ−Ａ（LTE−Advanced）に続く、５Ｇの無線アクセス技術のひとつとして、非直交多元接続が注目されている。
【００２２】
ＬＴＥで採用されているＯＦＤＭＡ（Orthogonal  Frequency  Division  Multiple  Access）又はＳＣ−ＦＤＭＡ（Single−Carrier  ＦＤＭＡ）においては、セル内のユーザ端末同士では重複しないよう無線リソースが割り当てられる。なお、無線リソースとは、無線通信のための周波数又は時間のリソースであり、リソースブロック、サブフレーム、リソースエレメント等の多様な種類がある。このような、無線リソースが重複しないよう割り当てられる無線アクセス技術は、直交多元接続とも称される。
【００２３】
ここで、図１に、直交多元接続における無線リソースの割り当ての一例を示した。図１では、横軸が周波数を示し、ユーザに割り当てられた無線リソースがユーザごとに異なる色で示されている。図１に示すように、直交多元接続では、ユーザに例えば周波数方向で異なるリソースブロック（ＲＢ：Resource  Block）が割り当てられ得る。
【００２４】
これに対し、非直交多元接続では、セル内のユーザ端末同士に、少なくとも一部が重複する無線リソースが割り当てられる。非直交多元接続が採用される場合、無線空間においては、セル内のユーザ端末が送受信する信号が互いに干渉し得る。しかし、受信側は、所定の復号処理により、ユーザごとの情報を取得することが可能である。そして、非直交多元接続は、適切な無線リソースの割り当てが実施された場合、直交多元接続よりも高い通信容量（又はセル通信容量）を達成できることが理論的に知られている。
【００２５】
ここで、図２に、非直交多元接続における無線リソースの割り当ての一例を示した。図２では、横軸が周波数を示し、ユーザに割り当てられた無線リソースがユーザごとに異なる色で示されている。図２に示すように、非直交多元接続では、ユーザに例えば周波数方向で重複するリソースブロックが割り当てられ得る。
【００２６】
非直交多元接続に分類される無線アクセス技術の一つとして、ＩＤＭＡが挙げられる。ＩＤＭＡでは、ユーザ信号を識別するために、送信側装置が送信信号に対して実施するインタリーブ処理に用いるインタリーブパターンを、ユーザごとに相違させて割り当てる。そして、受信側装置は、各ユーザに割り当てられたインタリーブパターンに対応するデインタリーブパターンを用いることで、ユーザ信号を分離して復号する。ＩＤＭＡの利点として、送信側装置の信号処理の負荷が軽いということが挙げられる。この利点は、特にユーザ端末から基地局への上りリンク（ＵＬ：Uplink）においてより重視される。
【００２７】
ここで、図３に、ＩＤＭＡを用いた無線通信を行う送信局１０の基本的な構成例を示した。図３に示すように、送信局１０は、誤り訂正符号化回路１１、インタリーバ（πｉ）１２、デジタル変調回路１３、及びＲＦ（Radio  Frequency）回路１４を有する。誤り訂正符号化回路１１は、ユーザｉの情報ビット列を、誤り訂正符号化する。インタリーバ（πｉ）１２は、ユーザｉ向けに割り当てられたインタリーバであり、誤り訂正符号化された情報ビット列にインタリーブ処理を行う。デジタル変調回路１３は、インタリーブ処理を経た情報ビット列をデジタル変調する。ＲＦ回路１４は、デジタル変調後の信号に各種信号処理を行って、アンテナを介して無線信号を送信する。なお、インタリーバの割り当ては、インタリーバタイプ又はインタリーブパターンの少なくともいずれかが割り当てられることにより行われる。
【００２８】
なお、インタリーバタイプとは、インタリーバの種類を意味し、インタリーバが用いるインタリーブパターンのポリシーである。同一のインタリーバタイプのインタリーブパターン間では相関特性が保たれる。一方で、異なるインタリーバタイプのインタリーブパターン間では相関特性が未知である。このため、干渉が生じ得るユーザ同士では、同一のインタリーバタイプの異なるインタリーブパターンを割り当てられることが望ましい。
【００２９】
また、図４に、ＩＤＭＡを用いた無線通信を行う受信局２０の基本的な構成例を示した。図４に示すように、受信局２０は、ＲＦ回路２１、信号分離回路２２、及び復号化回路２３を含む。ＲＦ回路２１は、アンテナにより受信された無線信号に各種信号処理を行って、信号分離回路２２へ出力する。信号分離回路２２は、各ユーザの信号が合成された状態の合成信号を、ユーザごとの信号に分離する機能を有し、分離した各ユーザ信号を、対応する復号化回路２３に出力する。例えば、復号化回路２３ｉは、ユーザｉ向けのデインタリーバ（πｉ−１）２４、誤り訂正復号化回路２５、及びユーザｉ向けのインタリーバ（πｉ）２６を含む。復号化回路２３ｉは、ユーザｉからのユーザ信号が入力され、デインタリーバ（πｉ−１）２４によるデインタリーブ処理、及び誤り訂正復号化回路２５による復号化を行う。復号化回路２３ｉは、正しく復号できた場合はユーザｉの情報ビット列として出力する。また、復号化回路２３ｉは、復号した信号にインタリーバ（πｉ）２６によるインタリーブ処理を行って、ユーザｉ向けのユーザ信号として信号分離回路２２に返却する。このようなユーザ信号の返却は、全ユーザ信号について行われる。信号分離回路２２は、返却されたユーザ信号を用いて再度信号分離を行って、分離後のユーザ信号を再度復号化回路２３へ出力する。受信局２０は、信号分離回路２２及び復号化回路２３における信号処理を繰り返すことで、ユーザ信号を復号する。このような多重信号からのユーザ信号の復号を、以下ではマルチユーザディテクション（Multi  user  detection）とも称する。
【００３０】
＜２．構成＞
［２．１．通信システムの構成例］
図５は、本開示の一実施形態に係る通信システムの全体構成の一例を示す図である。図５に示すように、本実施形態に係る通信システム１は、通信制御装置１００及び端末装置２００を含む。
【００３１】
通信制御装置１００は、通信システム１内の通信を協調的に制御する装置である。通信制御装置１００は、他の装置に機能のひとつとして含まれる論理エンティティとして実現されてもよいし、サーバ等の物理エンティティとして実現されてもよい。図５に示した例では、通信制御装置１００は基地局に含まれる論理エンティティである。基地局１００は、セル３００の内部に位置する１つ以上の端末装置２００へ無線通信サービスを提供し、端末装置２００との間でデータの送受信を行う無線通信装置である。例えば、基地局１００は、セルラーシステムにおけるｅＮＢ（evolutional  Node  B）又はアクセスポイントである。基地局１００は、コアネットワーク４００に接続される。コアネットワーク４００は、ゲートウェイ装置を介してパケットデータネットワーク（ＰＤＮ）に接続される。セル３００は、例えば、ＬＴＥ（Long  Term  Evolution）、ＬＴＥ−Ａ（LTE-Advanced）、ＧＳＭ（登録商標）、ＵＭＴＳ、Ｗ−ＣＤＭＡ、ＣＤＭＡ２０００、ＷｉＭＡＸ、ＷｉＭＡＸ２又はＩＥＥＥ８０２．１６などの任意の無線通信方式に従って運用されてよい。
【００３２】
端末装置２００は、基地局１００による無線通信サービスの提供を受け、基地局１００との間でデータの送受信を行う無線通信装置である。例えば、端末装置２００は、セルラーシステムにおけるユーザ端末（ＵＥ：User  Equipment）である。
【００３３】
通信システム１では、ＩＤＭＡが利用される。つまり、基地局１００及び端末装置２００は、ＩＤＭＡを用いた無線通信を行う。その際、基地局１００は、端末装置２００Ａ及び２００Ｂとの間で行わるアップリンク通信又はダウンリンク通信において用いられるべきインタリーバの割り当てを行う。通信制御装置１００は、端末装置２００Ａ及び２００Ｂとの通信に適切なインタリーバを割り当てることにより、ユーザ信号の多重を可能にする。
【００３４】
端末装置２００Ｃは、通信制御装置１００としての機能を有していてもよい。その場合、端末装置２００Ｃは、端末装置２００Ｄ及び２００Ｅとの間で行われるＤ２Ｄ（「Device  to  Device）通信において、用いられるべきインタリーバの割り当てを行う。
【００３５】
［２．２．通信制御装置の構成例］
図６は、本実施形態に係る通信制御装置１００の論理的な構成の一例を示すブロック図である。図６に示すように、通信制御装置１００は、無線通信部１１０、ネットワーク通信部１２０、記憶部１３０及び制御部１４０を含む。なお、ここでは、通信制御装置１００が基地局として実現される場合の構成例を説明する。
【００３６】
（１）無線通信部１１０
無線通信部１１０は、セル３００に接続する端末装置２００との間で無線通信を実行する。例えば、無線通信部１１０は、端末装置２００からアップリンクトラフィックを受信し、及び端末装置２００へダウンリンクトラフィックを送信する。また、無線通信部１１０は、ダウンリンクにおいて同期信号及びリファレンス信号をブロードキャストする。同期信号は、端末装置２００がセル３００との同期を獲得するために使用される。リファレンス信号は、通信品質の測定のために使用される。リファレンス信号を用いて測定される通信品質は、例えば、セル間のハンドオーバをトリガするハンドオーバ判定のための指標となる。リファレンス信号の具体例としては、例えばＣＲＳ（Common  Reference  Signal）及びＣＳＩ−ＣＲＳ（Channel  State  Information  Reference  Signal）が挙げられる。また、無線通信部１１０は、制御部１４０から通知された、後述する割り当て情報を用いて自身の送信処理及び受信処理を制御する。さらに、無線通信部１１０は、この割り当て情報を端末装置２００へ送信する。図６に示すように、無線通信部１１０は、物理層コントローラ１１２及びインタリーブ部１１４を含む。
【００３７】
（１−１）物理層コントローラ１１２
物理層コントローラ１１２は、制御部１４０による制御に基づいて、無線通信部１１０における物理層に関する処理を制御する機能を有する。例えば、物理層コントローラ１１２は、割り当て情報に基づいて送信処理に係る誤り訂正符号、変調、インタリーバ等に関するパラメータを制御する。また、物理層コントローラ１１２は、割り当て情報に基づいて受信処理に係る信号分離、復調、デインタリーバ等に関するパラメータを制御する。
【００３８】
（１−２）インタリーブ部１１４
インタリーブ部１１４は、無線通信部１１０におけるインタリーブ処理又はデインタリーブ処理を行う機能を有する。例えば、インタリーブ部１１４は、インタリーバ１２を含み、物理層コントローラ１１２により設定されたインタリーバタイプ、インタリーブパターンを用いてインタリーバ１２を構成する。また、インタリーブ部１１４は、信号分離回路２２、及び復号化回路２３を含み、物理層コントローラ１１２により設定された、デインタリーバタイプ、デインタリーブパターンを用いてデインタリーバ２４を構成する。
【００３９】
（２）ネットワーク通信部１２０
ネットワーク通信部１２０は、通信制御装置１００をコアネットワーク４００に接続するための通信インタフェースである。ネットワーク通信部１２０は、有線通信インタフェースであってもよく、又は無線通信インタフェースであってもよい。ネットワーク通信部１２０は、コアネットワーク４００内の様々な制御ノードとの間で、データトラフィックを送受信し、及び制御メッセージを交換する。
【００４０】
（３）記憶部１３０
記憶部１３０は、各種情報を記憶する機能を有する。例えば、記憶部１３０は、後述する割り当て情報を記憶し得る。
【００４１】
（４）制御部１４０
制御部１４０は、演算処理装置および制御装置として機能し、各種プログラムに従って通信制御装置１００内の動作全般を制御する。図６に示すように、制御部１４０は、間隔制御部１４２、割当制御部１４４及び通信制御部１４６を含む。
【００４２】
（４−１）間隔制御部１４２
間隔制御部１４２は、端末装置２００によりＩＤＭＡのために利用されるインタリーバを、割り当てる間隔を動的に変更する機能を有する。具体的には、間隔制御部１４２は、割当制御部１４４によりインタリーバの割り当てが行われる間隔を、動的に変更する。
【００４３】
例えば、間隔制御部１４２は、インタリーバの割り当て間隔を、最小のＴＴＩと等しい時間に変更してもよい。最小のＴＴＩと等しい間隔でインタリーバを割り当てることを、以下では動的な割り当て方針とも称する。動的な割り当て方針は、セルラーシステムにおけるリソーススケジューリングにおける割り当て方針と同様である。また、間隔制御部１４２は、インタリーバの割り当て間隔を、最小のＴＴＩより長い時間に変更してもよい。最小のＴＴＩより長い間隔でインタリーバを割り当てることを、以下では静的又は準静的な割り当て方針とも称する。インタリーバの割り当て間隔は、準静的な割り当て方針の場合は有限値であり、静的な割り当て方針の場合は無限大である。即ち、通信制御装置１００は、準静的な割り当て方針の場合に単体でインタリーバの割り当てを行い、静的な割り当て方針の場合に単体ではインタリーバの割り当てを行わない。通信制御装置１００は、後述するように端末装置２００からのリクエスト等の外的要因によって、静的な割り当て方針を採用しつつインタリーバの割り当てを行ってもよい。以下、図７を参照して、動的、静的又は準静的といった、インタリーバの割り当て方針についてより詳しく説明する。
【００４４】
図７は、本実施形態に係るインタリーバの割り当て方針を説明するための説明図である。符号５１０は、割り当て方針が動的である場合における、割り当てられるインタリーバの推移を示している。符号５１０に示すように、動的な割り当て方針においては、最小のＴＴＩごとに割り当てられるインタリーバが変更されている。ここで、πｉは、インデックスｉのインタリーバを示すものとする。また、符号５２０は、割り当て方針が準静的である場合における、割り当てられるインタリーバの推移を示している。符号５２０に示すように、準静的な割り当て方針においては、最小のＴＴＩより長い間隔で、割り当てられるインタリーバが変更されている。また、符号５３０は、割り当て方針が静的である場合における、割り当てられるインタリーバの推移を示している。符号５３０に示すように、静的な割り当て方針においては、割り当てられるインタリーバに変更がない。
【００４５】
間隔制御部１４２は、動的、準静的又は静的といった、インタリーバの割り当て方針を動的に切り替えてインタリーバの割り当て間隔を変更してもよいし、割り当て方針を維持しつつ割り当て間隔を動的に変更してもよい。ここで、動的な割り当て方針においては、インタリーバの割り当てにかかる制御メッセージの送受信が通信制御装置１００と端末装置２００との間で最小のＴＴＩごとに発生することとなる。その点、静的又は準静的な割り当て方針においては、インタリーバの割り当てが最小のＴＴＩより長い間隔で行われるので、制御メッセージの送受信を削減することが可能となり、オーバーヘッドが削減される。よって、間隔制御部１４２は、インタリーバの割り当て方針を動的な割り当て方針から静的又は準静的な割り当て方針に切り替えることで、オーバーヘッドを削減することができる。なお、間隔制御部１４２は、端末装置２００の各々に割り当てる方針又は割り当て間隔を、相違させてもよいし、同一にしてもよい。
【００４６】
間隔制御部１４２は、基地局１００及び端末装置２００による通信に関する情報に基づいて間隔を変更してもよい。基地局１００及び端末装置２００による通信に関する情報を、以下では通信環境情報とも称する。例えば、間隔制御部１４２は、通信環境情報を、他の基地局１００、端末装置２００又はその他の制御装置等から取得し得る。以下に説明するように、通信環境情報は多様に考えられる。
【００４７】
例えば、通信環境情報は、制御のために一時的に端末装置２００に与えられる識別情報を含んでいてもよい。例えば、セルラーシステムにおいては、このような識別情報の一例として、ＲＮＴＩ（Radio  Network  Temporal  Identifier）が挙げられる。
【００４８】
例えば、通信環境情報は、端末装置２００に固有の識別情報を含んでいてもよい。例えば、このような識別情報は、端末装置２００に紐付けられる物理的な識別情報であってもよいし、セルラーシステムにおいてネットワークオペレータに登録されているＳｕｂｓｃｒｉｂｅｒ  ＩＤなどであってもよい。
【００４９】
例えば、通信環境情報は、端末装置２００のケイパビリティ情報を含んでいてもよい。例えば、ケイパビリティ情報は、端末装置２００が対応するＲＡＴ（Radio  Access  Technology）を示す情報を含む。本実施形態では、ケイパビリティ情報は、ＩＤＭＡに対応しているか否か、及びＩＤＭＡに対応している場合に本実施形態に係る静的又は準静的なインタリーバの割り当て方針に対応しているか否かを示す情報を含み得る。
【００５０】
例えば、通信環境情報は、端末装置２００のパケットトラフィックの状態を示す情報を含んでいてもよい。例えば、パケットトラフィックの状態を示す情報は、アイドル状態であるか、送受信中であるかを示す情報を含み得る。
【００５１】
例えば、通信環境情報は、インタリーバ割り当て状態に係る情報を含んでいてもよい。例えば、インタリーバ割り当て状態に係る情報は、インタリーバの割り当て方針を示す情報（即ち、割り当て方針が動的か準静的か静的かを示す情報）、及び前回インタリーバを割り当てられてからの経過時間を含み得る。
【００５２】
例えば、通信環境情報は、端末装置２００により送信又は受信されるパケットに関する統計量を示す情報を含んでいてもよい。パケットに関する統計量を示す情報としては、例えば通信中のパケットの平均サイズ、通信経過時間、又はピークサイズ等が挙げられる。
【００５３】
例えば、通信環境情報は、端末装置２００により用いられるアプリケーションの種別を示す情報を含んでいてもよい。アプリケーションの種別としては、データ通信を行うアプリケーションであるか、通話を行うアプリケーションであるか、又はコネクションの維持のみを行うアプリケーションであるか等が挙げられる。また、データ通信を行うアプリケーションの場合、アプリケーションの種別は、ストリーミング、ライブストリーミング、テキスト、画像、動画及びゲーム（クラウド／リアルタイム）等の、より詳細な種別に細分化されていてもよい。同様に、通話を行うアプリケーションの場合、アプリケーションの種別は、音声通話及びビデオ通話等の、より詳細な種別に細分化されていてもよい。
【００５４】
例えば、通信環境情報は、アプリケーションタイプの切り替わりのトリガを示す情報を含んでいてもよい。アプリケーションタイプの切り替わりのトリガとしては、例えば端末装置２００宛てのページングメッセージの受信又は端末装置２００による応答メッセージが挙げられる。
【００５５】
例えば、通信環境情報は、ＱＣＩ（Quality  of  Service  Class  Identifier）を含んでいてもよい。ＱＣＩとは、ベアラがもつＱｏＳに関するラベルである。「Stefania  Sesia，Issam  Toufik，Matthew  Baker，“LTE−The  UMTS  Long  Term  Evolution  from  Theory  to  Practice  （Second  edition）”，Wiley，2011．」に記載されているように、ＬＴＥにおいては、ＱＣＩは下記の表１のように規定されている。
【００５６】
【表１】
0006394348.tif 000002
【００５７】
例えば、上述した制御チャネル上での頻繁なインタラクションに起因するオーバーヘッドは、ＶｏＩＰ（Voice  over  IP）及びＶｏＬＴＥ（Voice  over  LTE）等の、パケットサイズが小さい、パケットサイズの変動が静的又は準静的である、又は周期的に通信が発生するサービスの運用において、問題になり得る。そこで、間隔制御部１４２は、通信環境情報からこのようなサービスの運用が想定される場合に、割り当て方針を静的又は準静的に変更することで、オーバーヘッドを効果的に削減することができる。他にも、間隔制御部１４２は、様々な状況下において、割り当て方針を静的又は準静的に変更することで、オーバーヘッドを効果的に削減することができる。具体的なシナリオについては、後に詳しく説明する。
【００５８】
（４−２）割当制御部１４４
割当制御部１４４は、間隔制御部１４２により設定された間隔でインタリーバを割り当てる機能を有する。例えば、割当制御部１４４は、間隔制御部１４２により設定された間隔で、各端末装置２００にインタリーバタイプ又はインタリーブパターンの少なくともいずれかを割り当てる。
【００５９】
また、割当制御部１４４は、基地局１００及び端末装置２００による通信に関する情報に基づいてインタリーバを割り当ててもよい。つまり、割当制御部１４４は、間隔制御部１４２と同様に、通信環境情報に基づいてインタリーバを割り当ててもよい。例えば、割当制御部１４４は、ＱＣＩに基づいてインタリーバを割り当て得る。また、割当制御部１４４は、通信環境情報に対応する割り当て規則に従ってインタリーバを割り当ててもよい。例えば、割当制御部１４４は、ＱＣＩに対応するインタリーバタイプを採用して、当該インタリーバタイプにおけるインタリーブパターンを割り当て得る。具体的なシナリオについては、後に詳しく説明する。
【００６０】
（４−３）通信制御部１４６
通信制御部１４６は、無線通信部１１０による端末装置２００との通信を制御する機能を有する。例えば、通信制御部１４６は、間隔制御部１４２におけるインタリーバの割り当て方針を示す情報、間隔制御部１４２により設定された割り当て間隔を示す情報、及び割当制御部１４４により割り当てられたインタリーバを示す情報を、無線通信部１１０に通知する。これらの情報を、以下では割り当て情報とも総称する。通信制御部１４６は、制御信号又は制御チャネルを用いて割り当て情報を端末装置２００へ通知するよう無線通信部１１０を制御してもよい。
【００６１】
また、通信制御部１４６は、間隔制御部１４２により動的に変更される間隔で割当制御部１４４により割り当てられたインタリーバを用いたインタリーブ処理を行うよう、無線通信部１１０を制御する機能を有する。具体的には、通信制御部１４６は、割り当て情報に従って、インタリーバ１２、デインタリーバ２４及びインタリーバ２６を設定するよう物理層コントローラ１１２を制御する。これにより、通信制御装置１００は、端末装置２００との間でＩＤＭＡを用いた無線通信を行うことが可能となる。
【００６２】
以上、本実施形態に係る通信制御装置１００の構成例を説明した。続いて、図８及び図９を参照して、本実施形態に係る端末装置２００の構成例を説明する。
【００６３】
［２．３．端末装置の構成例］
図８は、本実施形態に係る端末装置２００の論理的な構成の一例を示すブロック図である。図８に示すように、端末装置２００は、無線通信部２１０、記憶部２２０及び制御部２３０を含む。
【００６４】
（１）無線通信部２１０
無線通信部２１０は、基地局１００との間で無線通信を実行する。例えば、無線通信部２１０は、基地局１００からダウンリンクトラフィックを受信し、及び基地局１００へアップリンクトラフィックを送信する。また、無線通信部２１０は、基地局１００からダウンリンクにおいてブロードキャストされた同期信号及びリファレンス信号を受信する。無線通信部２１０は、受信した同期信号を用いてセル３００との同期を獲得する。また、無線通信部２１０は、リファレンス信号を用いて通信品質を測定する。また、無線通信部２１０は、通信制御装置１００から割り当て情報を受信する。そして、無線通信部２１０は、受信した割り当て情報を用いて自身の送信処理及び受信処理を制御する。図８に示すように、無線通信部２１０は、物理層コントローラ２１２及びインタリーブ部２１４を含む。
【００６５】
（１−１）物理層コントローラ２１２
物理層コントローラ２１２は、制御部２３０による制御に基づいて、無線通信部２１０における物理層に関する処理を制御する機能を有する。例えば、物理層コントローラ２１２は、割り当て情報に基づいて送信処理に係る誤り訂正符号、変調、インタリーバ等に関するパラメータを制御する。また、物理層コントローラ２１２は、割り当て情報に基づいて受信処理に係る信号分離、復調、デインタリーバ等に関するパラメータを制御する。
【００６６】
（１−２）インタリーブ部２１４
インタリーブ部２１４は、無線通信部２１０におけるインタリーブ処理又はデインタリーブ処理を行う機能を有する。例えば、インタリーブ部２１４は、インタリーバ１２を含み、物理層コントローラ２１２により設定されたインタリーバタイプ、インタリーブパターンを用いてインタリーバ１２を構成する。また、インタリーブ部２１４は、信号分離回路２２、及び復号化回路２３を含み、物理層コントローラ２１２により設定された、デインタリーバタイプ、デインタリーブパターンを用いてデインタリーバ２４を構成する。
【００６７】
ここで、図９を参照して、物理層コントローラ２１２とインタリーブ部２１４の関係性についてより詳細に説明する。図９は、本実施形態に係る端末装置２００の無線通信部２１０の論理的な構成の一例を示すブロック図である。図９に示すように、本実施形態に係る無線通信部２１０は、誤り訂正符号化回路１１、インタリーバ１２、デジタル変調回路１３、及び送信用のＲＦ回路１４を含む。また、無線通信部２１０は、受信用のＲＦ回路２１、信号分離回路２２、並びにデインタリーバ２４、誤り訂正復号化回路２５及びインタリーバ２６を含む。無線通信部２１０が有するこれらの構成要素については、図３及び図４を参照して上記説明した通りであるので、ここでの説明は省略する。
【００６８】
図９に示すように、無線通信部２１０は、物理層コントローラ２１２を含む。物理層コントローラ２１２は、信号分離回路２２により分離された、制御信号又は制御チャネルに格納された情報を取得する。例えば、物理層コントローラ２１２は、制御チャネル上で基地局１００により送信された割り当て情報を取得する。そして、物理層コントローラ２１２は、取得した割り当て情報に従ってインタリーバ１２、デインタリーバ２４及びインタリーバ２６を設定する。割り当て情報の取得並びにインタリーバ１２、デインタリーバ２４及びインタリーバ２６の設定は、物理層コントローラ２１２が単独で行ってもよいし、制御部２３０による制御に従って行われてもよい。
【００６９】
（２）記憶部２２０
記憶部２２０は、各種情報を記憶する機能を有する。例えば、記憶部２２０は、無線通信部２１０により基地局１００から受信された割り当て情報を記憶する。
【００７０】
（３）制御部２３０
制御部２３０は、演算処理装置および制御装置として機能し、各種プログラムに従って端末装置２００内の動作全般を制御する。例えば、制御部２３０は、通信制御装置１００により動的に変更される間隔で割り当てられたインタリーバを用いたインタリーブ処理を行うよう、無線通信部２１０を制御する機能を有する。具体的には、制御部２３０は、無線通信部２１０により基地局１００から受信された割り当て情報に従って、インタリーバ１２、デインタリーバ２４及びインタリーバ２６を設定するよう物理層コントローラ２１２を制御する。これにより、端末装置２００は、基地局１００との間でＩＤＭＡを用いた無線通信を行うことが可能となる。
【００７１】
制御部２３０は、割り当て情報を取得するために、常時制御チャネルを監視してもよい。他にも、制御部２３０は、割り当て情報が示す割り当て方針及び割り当て間隔に従って、割り当て情報が通知されるタイミングで制御チャネルを監視してもよい。その場合、端末装置２００における処理負荷及び消費電力等が削減され得る。
【００７２】
また、制御部２３０は、無線通信部２１０による通信の状況に応じて、インタリーバの割り当て間隔又はインタリーバの割り当てを変更するよう要求するメッセージを送信するよう無線通信部２１０を制御してもよい。例えば、制御部２３０は、干渉状況に応じて、割り当て方針、割り当て間隔又はインタリーバの割り当てを変更するよう要求するメッセージを、通信制御装置１００へ送信するよう無線通信部２１０を制御し得る。
【００７３】
以上、本実施形態に係る端末装置２００の構成例を説明した。
【００７４】
＜３．機能詳細＞
以下では、間隔制御部１４２によるインタリーバの割り当て方針の決定機能、及び割当制御部１４４によるインタリーバの割り当て機能について、具体的なシナリオを挙げながら詳細に説明する。
【００７５】
（１）第１のシナリオ
セルラーシステムにおいて、ネットワークオペレータ独自のサービス又は契約等によって、特定の端末装置２００が享受する通信サービスに何らかの制限が課される場合がある。そのようなサービス又は契約としては、音声通話のみの契約、Ｍ２Ｍ（Machine  to  Machine）モジュールのための契約、パケット通信の従量課金契約、通信速度制限などが挙げられる。なお、音声通話のみの契約では、データサイズが小さく周期的な通信が許可され得る。また、Ｍ２Ｍモジュールのための契約では、パケットサイズが小さい通信が許可され得る。また、パケット通信の従量課金契約では、ユーザが少しでも料金を抑えようとするために、サイズが大きいパケットの送受信は起こりにくい。また、通信速度制限に関しては、低速通信サービスを提供する契約又はデータ通信量の上限に伴う速度制限などの、サイズが小さいパケットの送受信が強いられるケースが挙げられる。例えば、間隔制御部１４２は、ＲＮＴＩ又はＳｕｂｓｃｒｉｂｅｒ  ＩＤ等の端末装置２００に紐付けられる識別情報を用いて、端末装置２００にかかるサービス又は契約を知得する。そして、間隔制御部１４２は、上述した制限下にある端末装置２００については、割り当て方針を静的又は準静的とする。これにより、インタリーバの割り当てに係るオーバーヘッドを削減することが可能となる。
【００７６】
（２）第２のシナリオ
例えば、間隔制御部１４２は、端末装置２００により用いられるアプリケーションの種別を示す情報に基づいて、インタリーバの割り当て間隔を変更してもよい。例えば、間隔制御部１４２は、パケットサイズが小さい、パケットサイズの変動が静的又は準静的である、又は周期的に通信が発生し得るアプリケーションが端末装置２００により用いられる場合に、割り当て方針として静的又は準静的な割り当て方針を採用する。また、間隔制御部１４２は、このようなアプリケーション以外のアプリケーションが端末装置２００により用いられる場合は、割り当て方針として動的な割り当て方針を採用する。間隔制御部１４２は、通信環境情報に基づいて、このようなアプリケーションが利用されるか否かを判定し得る。判定基準は、通信システム１の運用者によって任意に定められてもよい。なお、このようなアプリケーションとしては、例えば音声通話が考えられる。
【００７７】
（３）第３のシナリオ
例えば、間隔制御部１４２は、ＱＣＩに基づいて、インタリーバの割り当て間隔を変更してもよい。例えば、間隔制御部１４２は、下記の表２に従って、インタリーバの割り当て方針を決定し得る。
【００７８】
【表２】
0006394348.tif 000003
【００７９】
表中の「ａｎｙ」は、任意の方針を採用することが可能であることを示している。なお、上記の表２は、ＱＣＩとインタリーバの割り当て方針との対応付けの一例であり、間隔制御部１４２は、他の対応付けに従って割り当て方針を決定してもよい。
【００８０】
（４）第４のシナリオ
本シナリオは、第３のシナリオに加えて、ＱＣＩに対応するインタリーバが割り当てられるシナリオである。具体的には、割当制御部１４４は、ＱＣＩに基づいてインタリーバを割り当ててもよい。例えば、割当制御部１４４は、下記の数式１に示す割り当て可能なインタリーブパターンの候補集合Πから、いずれかのインタリーブパターンπｉを割り当てる。
【００８１】
【数１】
0006394348.tif 000004
【００８２】
ここで、ＮＩｎｔｅｒｌｅａｖｅｒ−１は、候補集合Πに含まれるインタリーブパターンの総数である。例えば、割当制御部１４４は、下記の表３に従って、ＱＣＩに対応する候補の中から、インタリーバを割り当ててもよい。
【００８３】
【表３】
0006394348.tif 000005
【００８４】
ここで、静的又は準静的な割り当て方針が採用される場合のインタリーバ候補は、互いの相関が低いものであることが望ましい。静的又は準静的な割り当て方針においては、一旦インタリーバが割り当てられた後は動的な割り当て方針よりも長い時間インタリーバは変更されないため、その長い時間干渉の状態が維持されるからである。
【００８５】
準静的な割り当て方針における割り当てタイミングは多様に考えられる。例えば、準静的な割り当て方針が採用される場合、割当制御部１４４は、インタリーバを前回割り当ててからの経過時間に基づいてインタリーバを割り当て得る。具体的には、割当制御部１４４は、下記の表４に示す判定式に従って、インタリーバを割り当ての実行可否を判定してもよい。
【００８６】
【表４】
0006394348.tif 000006
【００８７】
ここで、Ｔｅｌｉｐｓｅは、前回の割り当てからの通信経過時間［ｍｓ］である。Ｔｔｈ，ｅｌａｐｓｅは、前回の割り当てからの通信経過時間に関する閾値［ｍｓ］である。通信経過時間に関する閾値Tth,elapseは、インタリーバの割り当て周期として捉えることも可能である。例えば、間隔制御部１４２は、インタリーバの割り当て周期を、端末装置２００からのチャネルフィードバックの周期又はその周期の整数倍に設定し得る。他にも、間隔制御部１４２は、端末装置２００がチャネル情報を取得するためのリファレンス信号の送信周期又はその送信周期の整数倍に設定し得る。
【００８８】
（５）第５のシナリオ
本シナリオは、第３のシナリオに加えて、ＱＣＩに対応するインタリーバの割り当て規則が採用されるシナリオである。具体的には、割当制御部１４４は、ＱＣＩに対応する割り当て規則に従って前記インタリーバを割り当ててもよい。例えば、割当制御部１４４は、ＱＣＩに対応する割り当て規則として、ＱＣＩに対応するインタリーバタイプのインタリーブパターンを割り当て得る。例えば、割当制御部１４４は、下記の数式２に示す割り当て可能なインタリーブパターンの候補集合Πｋから、いずれかのインタリーブパターンπｋ，ｉを割り当てる。
【００８９】
【数２】
0006394348.tif 000007
【００９０】
ここで、ＮＰａｔｔｅｒｎは、候補集合Πｋの総数である。ｋは、割り当て規則の総数であり、例えばインタリーバタイプの総数を示す。例えば、割当制御部１４４は、下記の表５に従って、ＱＣＩに対応する割り当て規則におけるインタリーバタイプの候補の中から、インタリーバを割り当ててもよい。
【００９１】
【表５】
0006394348.tif 000008
【００９２】
（６）第６のシナリオ
例えば、間隔制御部１４２は、端末装置２００により送信又は受信されるパケットに関する統計量を示す情報に基づいて、インタリーバの割り当て間隔を変更してもよい。例えば、間隔制御部１４２は、下記の表６に示す判定式Ａに従ってインタリーバの割り当て方針を決定し、割当制御部１４４は、下記の表６に示す判定式Ｂに従ってインタリーバを割り当て得る。
【００９３】
【表６】
0006394348.tif 000009
【００９４】
ここで、Ｎａｖｅ，ｐａｃｋｅｔは、送信又は受信パケットの平均サイズ［ｂｉｔ］である。Ｎｔｈ，ｐａｃｋｅｔは、送信又は受信パケットの平均サイズに関する閾値［ｂｉｔ］である。表中の「なし」は、判定式による判定が省略されることを意味する。なお、上記の表６は、端末装置２００により送信又は受信されるパケットに関する統計量を示す情報とインタリーバの割り当て方針との対応付けの一例であり、間隔制御部１４２は、他の対応付けに従って割り当て方針を決定してもよい。
【００９５】
（７）第７のシナリオ
例えば、間隔制御部１４２は、端末装置２００のパケットトラフィックの状態を示す情報に基づいて、インタリーバの割り当て間隔を変更してもよい。例えば、間隔制御部１４２は、端末装置２００がアイドル状態でありサービングセルとのコネクションの維持のみを行っている場合には、静的又は準静的な割り当て方針を採用し、他の場合には動的な割り当て方針を採用してもよい。
【００９６】
＜４．動作処理＞
続いて、図１０及び図１１を参照して、本実施形態に係る通信システム１における動作処理の一例を説明する。ここでは、基地局１００は、通信制御装置１００としての機能を有するものとする。
【００９７】
図１０は、本実施形態に係る通信システム１において実行される割り当て情報の通知処理の流れの一例を示すシーケンス図である。図１０に示すように、本シーケンスには、基地局１００及び端末装置２００が関与する。
【００９８】
図１０に示すように、まず、ステップＳ１０２で、基地局１００は、割り当て処理を行う。例えば、間隔制御部１４２は、インタリーバの割り当て方針を切り替えたり、インタリーバの割り当て間隔を変更したりしてもよい。また、割当制御部１４４は、端末装置２００にインタリーバを割り当ててもよい。これらの処理はいずれか一方のみ行われてもよい。
【００９９】
次いで、ステップＳ１０４で、基地局１００は、ステップＳ１０２における割り当て結果を示す割り当て情報を、端末装置２００へ送信する。例えば、無線通信部１１０は、割り当て情報を制御チャネル上で端末装置２００へ送信する。
【０１００】
次に、ステップＳ１０６で、基地局１００及び端末装置２００は、送信した又は受信した割り当て情報に従って通信を行う。
【０１０１】
そして、ステップＳ１０８で、端末装置２００は、変更リクエストを基地局１００へ送信する。変更リクエストは、割り当て方針、割り当て間隔、又は割り当てられるインタリーバの変更の少なくともいずれかを要求するメッセージである。端末装置２００は、例えば、周囲からの干渉が閾値を超えた場合に変更リクエストを送信し得る。
【０１０２】
次いで、ステップＳ１１０で、基地局１００は、変更リクエストに応じた変更処理を行う。例えば、間隔制御部１４２は、インタリーバの割り当て方針を切り替えてもよいし、準静的な割り当て方針の場合は方針を維持したままで割り当て間隔を変更してもよい。また、割当制御部１４４は、端末装置２００に割り当てるインタリーバを変更してもよい。もちろん、基地局１００は、変更リクエストを拒否して変更処理を行わなくてもよい。
【０１０３】
次に、ステップＳ１１２で、基地局１００は、変更リクエストに対する応答を示す変更レスポンスを端末装置２００へ送信する。基地局１００において変更処理が行われた場合、変更レスポンスには、ステップＳ１１０における変更結果を示す割り当て情報が含まれる。また、基地局１００において変更リクエストが拒否された場合、変更レスポンスには、変更リクエストが拒否されたことを示す情報が含まれる。
【０１０４】
以上、割り当て情報の通知処理例を説明した。続いて、図１１を参照して、インタリーバの割り当て間隔の設定処理を説明する。
【０１０５】
図１１は、本実施形態に係る通信制御装置１００において実行されるインタリーバの割り当て間隔の設定処理の流れの一例を示すフローチャートである。
【０１０６】
図１１に示すように、まず、ステップＳ２０２で、制御部１４０は、通信環境情報を取得する。例えば、間隔制御部１４２は、基地局１００、端末装置２００又はその他の制御装置等から、無線通信部１１０又はネットワーク通信部１２０を介して通信環境情報を取得する。
【０１０７】
次いで、ステップＳ２０４で、制御部１４０は、対象の端末装置２００は静的又は準静的なインタリーバの割り当て方針に対応可能であるか否かを判定する。例えば、制御部１４０は、端末装置２００のケイパビリティ情報を参照して本判定を行い得る。
【０１０８】
対応可能であると判定された場合（Ｓ２０４／ＹＥＳ）、ステップＳ２０６で、制御部１４０は、静的又は準静的な割り当て方針の採用が必要であるか否かを判定する。例えば、制御部１４０は、上記一例を挙げて説明したシナリオに係る判定基準を用いて、静的又は準静的な割り当て方針の採用が必要であるか否かを判定する。
【０１０９】
静的又は準静的な割り当て方針の採用が必要であると判定された場合（Ｓ２０６／ＹＥＳ）、ステップＳ２０８で、制御部１４０は、静的又は準静的な割り当て方針を採用する。そして、ステップＳ２１０で、制御部１４０は、割り当て間隔を設定する。例えば、静的な割り当て方針が採用される場合、制御部１４０は、割り当て間隔を無限大に設定する。また、準静的な割り当て方針が採用される場合、制御部１４０は、割り当て間隔を最小のＴＴＩより長い時間に設定する。
【０１１０】
一方で、対象の端末装置２００は静的又は準静的なインタリーバの割り当て方針に対応可能でないと判定された場合（Ｓ２０４／ＮＯ）、又は静的又は準静的な割り当て方針の採用が必要でないと判定された場合（Ｓ２０６／ＮＯ）、処理はステップＳ２１２へ進む。ステップＳ２１２では、制御部１４０は、動的な割り当て方針を採用する。そして、ステップＳ２１４で、制御部１４０は、割り当て間隔を設定する。例えば、制御部１４０は、割り当て間隔を最小のＴＴＩと等しい時間に設定する。
【０１１１】
以上、インタリーバの割り当て間隔の設定処理例を説明した。なお、上記ステップＳ２０４及びＳ２０６の順番は逆でもよい。
【０１１２】
＜５．変形例＞
上述したインタリーバの割り当てに関する技術は、他の多元接続技術と組み合わせることが可能である。
【０１１３】
（ＯＦＤＭＡの場合）
以下では、一例として、上述したインタリーバの割り当てに関する技術を、ＯＦＤＭＡと組み合わせる場合について説明する。なお、ＯＦＤＭＡにおける端末装置２００へ割り当てられるリソースの最小単位が、複数のサブキャリアからなるＲＢ（Resource  Block）であるものとして説明するが、サブキャリア単位等の他の任意の単位であってもよい。
【０１１４】
図１２は、ＯＦＤＭＡにおけるリソースの割り当てを説明するための説明図である。図１２に示した例では、端末装置２００ＡにＲＢ０及びＲＢ１が割り当てられ、端末装置２００ＢにＲＢ２及びＲＢ３が割り当てられている。このように、ＯＦＤＭＡでは、異なる端末装置２００に異なるＲＢが割り当てられる。
【０１１５】
図１３及び図１４は、ＯＦＤＭＡとＩＤＭＡとを組み合わせた場合におけるリソースの割り当てを説明するための説明図である。図１３に示した例では、端末装置２００ＡにインタリーバＡが割り当てられ、端末装置２００ＢにインタリーバＢが割り当てられる。また、端末装置２００Ａ及び２００Ｂに、ＲＢ０、ＲＢ１、ＲＢ２及びＲＢ３が割り当てられている。図１４に示した例では、端末装置２００ＡにインタリーバＡが割り当てられ、端末装置２００ＢにインタリーバＢが割り当てられる。また、端末装置２００ＡにはＲＢ１、ＲＢ２及びＲＢ３が割り当てられ、端末装置２００ＢにはＲＢ０、ＲＢ１及びＲＢ２が割り当てられている。このように、複数の端末装置２００は、異なるインタリーバが割り当てられることで、ＲＢを共有することが可能である。
【０１１６】
制御部１４０は、ＯＦＤＭＡとＩＤＭＡとが組み合わされる場合においても、上述したようにインタリーバの割り当て方針を切り替えたり、インタリーバの割り当て間隔を動的に変更したり、インタリーバを割り当ててもよい。その際、間隔制御部１４２は、インタリーバの割り当て間隔を、他の接続方式に係るリソース割り当て間隔に応じた時間にすることが望ましい。例えば、ＯＦＤＭＡにおいては、間隔制御部１４２は、インタリーバの割り当て間隔を、ＲＢの割り当て間隔と同一又はその整数倍に設定する。この場合、基地局１００は、インタリーバの割り当て及びＲＢの割り当てに関するシグナリングを同一のタイミングで行うことが可能となり、オーバーヘッドが削減される。他にも、基地局１００は、割り当てられるインタリーバの変更又はＲＢの変更のいずれかが行われる場合に、シグナリングを行ってもよい。この場合にも、オーバーヘッドが削減される。また、基地局１００によるＲＢのスケジューリングは、ＣＳＩメジャメントフィードバック等の端末装置２００における測定結果を利用して行われる。そのため、間隔制御部１４２は、インタリーバの割り当て間隔を、ＣＳＩメジャメントフィードバックの間隔と同一又はその整数倍に設定してもよい。また、間隔制御部１４２は、複数の端末装置２００に対するインタリーバの割り当て間隔を同一に設定してもよい。この場合、端末装置２００のチャネル間の相関又は割り当てられるインタリーバ間の相関がダイナミックに変動することが回避される。
【０１１７】
（ＯＦＤＭＡ以外の場合）
上述したインタリーバの割り当てに関する技術は、ＯＦＤＭＡ以外の多元接続技術と組み合わせることも可能である。ＯＦＤＭＡの場合と同様に、間隔制御部１４２は、インタリーバの割り当て間隔を、他の接続方式に係るリソース割り当て間隔に応じた時間にしてもよい。下記の表７に、上述したインタリーバの割り当てに関する技術と組み合わせ可能な多元接続技術、及び割り当てられるリソースの一例を示した。
【０１１８】
【表７】
0006394348.tif 000010
【０１１９】
もちろん、上記表に示した多元接続技術及びリソースは一例であって、上述したインタリーバの割り当てに関する技術は、他の任意の多元接続技術と組み合わせることが可能である。
【０１２０】
＜６．応用例＞
本開示に係る技術は、様々な製品へ応用可能である。例えば、通信制御装置１００は、タワーサーバ、ラックサーバ、又はブレードサーバなどのいずれかの種類のサーバとして実現されてもよい。また、通信制御装置１００の少なくとも一部の構成要素は、サーバに搭載されるモジュール（例えば、１つのダイで構成される集積回路モジュール、又はブレードサーバのスロットに挿入されるカード若しくはブレード）において実現されてもよい。
【０１２１】
また、例えば、通信制御装置１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、通信制御装置１００は、ＮｏｄｅＢ又はＢＴＳ（Base  Transceiver  Station）などの他の種類の基地局として実現されてもよい。通信制御装置１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、通信制御装置１００として動作してもよい。さらに、通信制御装置１００の少なくとも一部の構成要素は、基地局装置又は基地局装置のためのモジュールにおいて実現されてもよい。
【０１２２】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０１２３】
［６．１．通信制御装置に関する応用例］
図１５は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０１２４】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０１２５】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０１２６】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０１２７】
図１５に示したサーバ７００において、図６を参照して説明した間隔制御部１４２、割当制御部１４４及び通信制御部１４６は、プロセッサ７０１において実装されてもよい。一例として、プロセッサを間隔制御部１４２、割当制御部１４４及び通信制御部１４６として機能させるためのプログラム（換言すると、プロセッサに間隔制御部１４２、割当制御部１４４及び通信制御部１４６の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて間隔制御部１４２、割当制御部１４４及び通信制御部１４６が実装されてもよい。この場合に、上記モジュールは、プロセッサを間隔制御部１４２、割当制御部１４４及び通信制御部１４６として機能させるためのプログラムをメモリ７０２に記憶し、当該プログラムをプロセッサ７０１により実行してもよい。以上のように、間隔制御部１４２、割当制御部１４４及び通信制御部１４６を備える装置としてサーバ７００又は上記モジュールが提供されてもよく、プロセッサを間隔制御部１４２、割当制御部１４４及び通信制御部１４６として機能させるための上記プログラムが提供されてもよい。また、上記プログラムを記録した読み取り可能な記録媒体が提供されてもよい。
【０１２８】
［６．２．基地局に関する応用例］
（第１の応用例）
図１６は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１２９】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１６に示したように複数のアンテナ８１０を有し、複数のアンテナ８１０は、例えばｅＮＢ８００が使用する複数の周波数帯域にそれぞれ対応してもよい。なお、図１６にはｅＮＢ８００が複数のアンテナ８１０を有する例を示したが、ｅＮＢ８００は単一のアンテナ８１０を有してもよい。
【０１３０】
基地局装置８２０は、コントローラ８２１、メモリ８２２、ネットワークインタフェース８２３及び無線通信インタフェース８２５を備える。
【０１３１】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１３２】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１３３】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１３４】
無線通信インタフェース８２５は、図１６に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１６に示したように複数のＲＦ回路８２７を含み、複数のＲＦ回路８２７は、例えば複数のアンテナ素子にそれぞれ対応してもよい。なお、図１６には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１３５】
図１６に示したｅＮＢ８００において、図６を参照して説明した間隔制御部１４２、割当制御部１４４及び通信制御部１４６は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて間隔制御部１４２、割当制御部１４４及び通信制御部１４６が実装されてもよい。この場合に、上記モジュールは、プロセッサを間隔制御部１４２、割当制御部１４４及び通信制御部１４６として機能させるためのプログラム（換言すると、プロセッサに間隔制御部１４２、割当制御部１４４及び通信制御部１４６の動作を実行させるためのプログラム）を記憶し、当該プログラムを実行してもよい。別の例として、プロセッサを間隔制御部１４２、割当制御部１４４及び通信制御部１４６として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、間隔制御部１４２、割当制御部１４４及び通信制御部１４６を備える装置としてｅＮＢ８００、基地局装置８２０又は上記モジュールが提供されてもよく、プロセッサを間隔制御部１４２、割当制御部１４４及び通信制御部１４６として機能させるためのプログラムが提供されてもよい。また、上記プログラムを記録した読み取り可能な記録媒体が提供されてもよい。
【０１３６】
また、図１６に示したｅＮＢ８００において、図６を参照して説明した無線通信部１１０は、無線通信インタフェース８２５（例えば、ＲＦ回路８２７）において実装されてもよい。また、ネットワーク通信部１２０は、コントローラ８２１及び／又はネットワークインタフェース８２３において実装されてもよい。
【０１３７】
（第２の応用例）
図１７は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１３８】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１７に示したように複数のアンテナ８４０を有し、複数のアンテナ８４０は、例えばｅＮＢ８３０が使用する複数の周波数帯域にそれぞれ対応してもよい。なお、図１７にはｅＮＢ８３０が複数のアンテナ８４０を有する例を示したが、ｅＮＢ８３０は単一のアンテナ８４０を有してもよい。
【０１３９】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１６を参照して説明したコントローラ８２１、メモリ８２２及びネットワークインタフェース８２３と同様のものである。
【０１４０】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１６を参照して説明したＢＢプロセッサ８２６と同様のものである。無線通信インタフェース８５５は、図１７に示したように複数のＢＢプロセッサ８５６を含み、複数のＢＢプロセッサ８５６は、例えばｅＮＢ８３０が使用する複数の周波数帯域にそれぞれ対応してもよい。なお、図１７には無線通信インタフェース８５５が複数のＢＢプロセッサ８５６を含む例を示したが、無線通信インタフェース８５５は単一のＢＢプロセッサ８５６を含んでもよい。
【０１４１】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１４２】
また、ＲＲＨ８６０は、接続インタフェース８６１及び無線通信インタフェース８６３を備える。
【０１４３】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１４４】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１７に示したように複数のＲＦ回路８６４を含み、複数のＲＦ回路８６４は、例えば複数のアンテナ素子にそれぞれ対応してもよい。なお、図１７には無線通信インタフェース８６３が複数のＲＦ回路８６４を含む例を示したが、無線通信インタフェース８６３は単一のＲＦ回路８６４を含んでもよい。
【０１４５】
図１７に示したｅＮＢ８３０において、図６を参照して説明した間隔制御部１４２、割当制御部１４４及び通信制御部１４６は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて間隔制御部１４２、割当制御部１４４及び通信制御部１４６が実装されてもよい。この場合に、上記モジュールは、プロセッサを間隔制御部１４２、割当制御部１４４及び通信制御部１４６として機能させるためのプログラム（換言すると、プロセッサに間隔制御部１４２、割当制御部１４４及び通信制御部１４６の動作を実行させるためのプログラム）を記憶し、当該プログラムを実行してもよい。別の例として、プロセッサを間隔制御部１４２、割当制御部１４４及び通信制御部１４６として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、間隔制御部１４２、割当制御部１４４及び通信制御部１４６を備える装置としてｅＮＢ８３０、基地局装置８５０又は上記モジュールが提供されてもよく、プロセッサを間隔制御部１４２、割当制御部１４４及び通信制御部１４６として機能させるためのプログラムが提供されてもよい。また、上記プログラムを記録した読み取り可能な記録媒体が提供されてもよい。
【０１４６】
また、図１７に示したｅＮＢ８３０において、例えば、図６を参照して説明した無線通信部１１０は、無線通信インタフェース８６３（例えば、ＲＦ回路８６４）において実装されてもよい。また、ネットワーク通信部１２０は、コントローラ８５１及び／又はネットワークインタフェース８５３において実装されてもよい。
【０１４７】
［６．３．端末装置に関する応用例］
（第１の応用例）
図１８は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１４８】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１４９】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１５０】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１８に示したように複数のＢＢプロセッサ９１３及び複数のＲＦ回路９１４を含んでもよい。なお、図１８には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１５１】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１５２】
アンテナスイッチ９１５の各々は、無線通信インタフェース９１２に含まれる複数の回路（例えば、異なる無線通信方式のための回路）の間でアンテナ９１６の接続先を切り替える。
【０１５３】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１８に示したように複数のアンテナ９１６を有してもよい。なお、図１８にはスマートフォン９００が複数のアンテナ９１６を有する例を示したが、スマートフォン９００は単一のアンテナ９１６を有してもよい。
【０１５４】
さらに、スマートフォン９００は、無線通信方式ごとにアンテナ９１６を備えてもよい。その場合に、アンテナスイッチ９１５は、スマートフォン９００の構成から省略されてもよい。
【０１５５】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１８に示したスマートフォン９００の各ブロックへ電力を供給する。補助コントローラ９１９は、例えば、スリープモードにおいて、スマートフォン９００の必要最低限の機能を動作させる。
【０１５６】
図１８に示したスマートフォン９００において、図８を参照して説明した制御部２３０は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて制御部２３０が実装されてもよい。この場合に、上記モジュールは、プロセッサを制御部２３０として機能させるためのプログラム（換言すると、プロセッサに制御部２３０の動作を実行させるためのプログラム）を記憶し、当該プログラムを実行してもよい。別の例として、プロセッサを制御部２３０として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、制御部２３０を備える装置としてスマートフォン９００又は上記モジュールが提供されてもよく、プロセッサを制御部２３０として機能させるためのプログラムが提供されてもよい。また、上記プログラムを記録した読み取り可能な記録媒体が提供されてもよい。
【０１５７】
また、図１８に示したスマートフォン９００において、例えば、図８を参照して説明した無線通信部２１０は、無線通信インタフェース９１２（例えば、ＲＦ回路９１４）において実装されてもよい。
【０１５８】
（第２の応用例）
図１９は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１５９】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１６０】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１６１】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１６２】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１９に示したように複数のＢＢプロセッサ９３４及び複数のＲＦ回路９３５を含んでもよい。なお、図１９には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１６３】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１６４】
アンテナスイッチ９３６の各々は、無線通信インタフェース９３３に含まれる複数の回路（例えば、異なる無線通信方式のための回路）の間でアンテナ９３７の接続先を切り替える。
【０１６５】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１９に示したように複数のアンテナ９３７を有してもよい。なお、図１９にはカーナビゲーション装置９２０が複数のアンテナ９３７を有する例を示したが、カーナビゲーション装置９２０は単一のアンテナ９３７を有してもよい。
【０１６６】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１６７】
バッテリー９３８は、図中に破線で部分的に示した給電ラインを介して、図１９に示したカーナビゲーション装置９２０の各ブロックへ電力を供給する。また、バッテリー９３８は、車両側から給電される電力を蓄積する。
【０１６８】
図１９に示したカーナビゲーション装置９２０において、図８を参照して説明した制御部２３０は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて制御部２３０が実装されてもよい。この場合に、上記モジュールは、プロセッサを制御部２３０として機能させるためのプログラム（換言すると、プロセッサに制御部２３０の動作を実行させるためのプログラム）を記憶し、当該プログラムを実行してもよい。別の例として、プロセッサを制御部２３０として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、制御部２３０を備える装置としてカーナビゲーション装置９２０又は上記モジュールが提供されてもよく、プロセッサを制御部２３０として機能させるためのプログラムが提供されてもよい。また、上記プログラムを記録した読み取り可能な記録媒体が提供されてもよい。
【０１６９】
また、図１９に示したカーナビゲーション装置９２０において、例えば、図８を参照して説明した無線通信部２１０は、無線通信インタフェース９３３（例えば、ＲＦ回路９３５）において実装されてもよい。
【０１７０】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、制御部２３０を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０１７１】
＜７．まとめ＞
以上、図１〜図１９を参照して、本開示の一実施形態について詳細に説明した。上記説明したように、通信制御装置１００は、ＩＤＭＡが利用される通信システムの無線通信装置との通信を行い、基地局１００又は端末装置２００においてＩＤＭＡのために利用されるインタリーバを割り当てる間隔を動的に変更する。具体的には、通信制御装置１００は、インタリーバの割り当て間隔を、最小のＴＴＩよりも長い時間に変更する。これにより、基地局１００及び端末装置２００には、動的な割り当て方針と比較して長い時間間隔でインタリーバの割り当てが行われることとなるため、ＩＤＭＡが採用される通信システム１におけるインタリーバの割り当てに関するオーバーヘッドの削減が実現される。
【０１７２】
また、通信制御装置１００は、ＱＣＩ、端末装置２００において送受信されるパケットに関する統計情報、アプリケーションの種別等の通信環境情報に基づいて、インタリーバの割り当て間隔を動的に変更することが可能である。これにより、例えば、端末装置２００における干渉状況に応じた割り当て間隔の変更が可能となり、より柔軟なスケジューリングが実現される。
【０１７３】
また、通信制御装置１００は、インタリーバの割り当て間隔を、他の多元接続方式に係るリソースの割り当て間隔に応じた時間にし得る。これにより、通信制御装置１００は、インタリーバの割り当て及び他の多元接続方式に係るリソースの割り当てに関するシグナリングをまとめて行うことが可能となるので、割り当て結果の通知に関するオーバーヘッドを削減することができる。
【０１７４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１７５】
例えば、上記実施形態では、間隔制御部１４２、割当制御部１４４及び通信制御部１４６が論理エンティティとして実現され、制御部１４０に含まれるものとして説明したが、本技術はかかる例に限定されない。例えば、間隔制御部１４２、割当制御部１４４及び通信制御部１４６の全部又は一部は、物理層コントローラ１１２に含まれてもよい。他にも、間隔制御部１４２、割当制御部１４４及び通信制御部１４６の全部又は一部は、独立した物理エンティティとして実現されてもよい。例えば、間隔制御部１４２、割当制御部１４４及び通信制御部１４６の全部又は一部がコアネットワーク４００上のサーバ等に含まれ、残りの構成要素が基地局１００に含まれてもよい。
【０１７６】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０１７７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１７８】
なお、以下のような構成も本開示の技術的範囲に属する。
（１）
インタリーブ分割多元接続方式（ＩＤＭＡ：Interleave  Division  Multiple  Access）が利用される通信システムの無線通信装置との通信を行う通信部と、
前記無線通信装置によりＩＤＭＡのために利用されるインタリーバを割り当てる間隔を動的に変更する間隔制御部と、
を備える通信制御装置。
（２）
前記間隔制御部は、前記無線通信装置による通信に関する情報に基づいて前記間隔を変更する、前記（１）に記載の通信制御装置。
（３）
前記間隔制御部は、ＱＣＩ（Quality  of  Service  Class  Identifier）に基づいて前記間隔を変更する、前記（２）に記載の通信制御装置。
（４）
前記間隔制御部は、前記無線通信装置により送信又は受信されるパケットに関する統計量を示す情報に基づいて前記間隔を変更する、前記（２）又は（３）に記載の通信制御装置。
（５）
前記間隔制御部は、前記無線通信装置により用いられるアプリケーションの種別を示す情報に基づいて前記間隔を変更する、前記（２）〜（４）のいずれか一項に記載の通信制御装置。
（６）
前記間隔制御部は、前記間隔を他の接続方式に係るリソース割り当て間隔に応じた時間にする、前記（１）〜（５）のいずれか一項に記載の通信制御装置。
（７）
前記通信部は、前記間隔を示す情報を前記無線通信装置へ送信する、前記（１）〜（６）のいずれか一項に記載の通信制御装置。
（８）
前記通信制御装置は、前記間隔制御部により設定された前記間隔で前記インタリーバを割り当てる割当制御部をさらに備える、前記（１）〜（７）のいずれか一項に記載の通信制御装置。
（９）
前記割当制御部は、前記無線通信装置による通信に関する情報に基づいて前記インタリーバを割り当てる、前記（８）に記載の通信制御装置。
（１０）
前記割当制御部は、ＱＣＩに基づいて前記インタリーバを割り当てる、前記（９）に記載の通信制御装置。
（１１）
前記割当制御部は、前記無線通信装置による通信に関する情報に対応する割り当て規則に従って前記インタリーバを割り当てる、前記（９）又は（１０）に記載の通信制御装置。
（１２）
前記割当制御部は、ＱＣＩに対応する割り当て規則に従って前記インタリーバを割り当てる、前記（１１）に記載の通信制御装置。
（１３）
前記間隔制御部は、前記間隔を最小のＴＴＩより長い時間に変更する、前記（１）〜（１２）のいずれか一項に記載の通信制御装置。
（１４）
前記間隔制御部は、前記間隔を最小のＴＴＩと等しい時間に変更する、前記（１）〜（１３）のいずれか一項に記載の通信制御装置。
（１５）
他の無線通信装置との間でＩＤＭＡを用いて無線通信を行う無線通信部と、
動的に変更される間隔で割り当てられたインタリーバを用いたインタリーブ処理を行うよう前記無線通信部を制御する制御部と、
を備える無線通信装置。
（１６）
前記制御部は、前記無線通信部による通信の状況に応じて、前記間隔又は前記インタリーバの割り当てを変更するよう要求するメッセージを送信するよう前記無線通信部を制御する、前記（１５）に記載の無線通信装置。
（１７）
ＩＤＭＡが利用される通信システムの無線通信装置との通信を行うことと、
前記無線通信装置によりＩＤＭＡのために利用されるインタリーバを割り当てる間隔をプロセッサにより動的に変更することと、
を含む通信制御方法。
（１８）
他の無線通信装置との間でＩＤＭＡを用いて無線通信を行うことと、
動的に変更される間隔で割り当てられたインタリーバを用いたインタリーブ処理を行うようプロセッサにより制御することと、
を含む無線通信方法。
（１９）
コンピュータを、
ＩＤＭＡが利用される通信システムの無線通信装置との通信を行う通信部と、
前記無線通信装置によりＩＤＭＡのために利用されるインタリーバを割り当てる間隔を動的に変更する間隔制御部と、
として機能させるためのプログラム。
（２０）
コンピュータを、
他の無線通信装置との間でＩＤＭＡを用いて無線通信を行う無線通信部と、
動的に変更される間隔で割り当てられたインタリーバを用いたインタリーブ処理を行うよう前記無線通信部を制御する制御部と、
として機能させるためのプログラム。
【符号の説明】
【０１７９】
１        通信システム
１００    通信制御装置、基地局
１１０    無線通信部
１１２    物理層コントローラ
１１４    インタリーブ部
１２０    ネットワーク通信部
１３０    記憶部
１４０    制御部
１４２    間隔制御部
１４４    割当制御部
１４６    通信制御部
２００    端末装置
２１０    無線通信部
２１２    物理層コントローラ
２１４    インタリーブ部
２２０    記憶部
２３０    制御部
３００    セル
４００    コアネットワーク
【図１】
0006394348.tif 000011
【図２】
0006394348.tif 000012
【図３】
0006394348.tif 000013
【図４】
0006394348.tif 000014
【図５】
0006394348.tif 000015
【図６】
0006394348.tif 000016
【図７】
0006394348.tif 000017
【図８】
0006394348.tif 000018
【図９】
0006394348.tif 000019
【図１０】
0006394348.tif 000020
【図１１】
0006394348.tif 000021
【図１２】
0006394348.tif 000022
【図１３】
0006394348.tif 000023
【図１４】
0006394348.tif 000024
【図１５】
0006394348.tif 000025
【図１６】
0006394348.tif 000026
【図１７】
0006394348.tif 000027
【図１８】
0006394348.tif 000028
【図１９】
0006394348.tif 000029